(57)【特許請求の範囲】
【請求項１】
遊技機の稼動数を検出する稼動数検出手段と、
設定された噴射レベルに応じた量の消臭液を噴射する消臭液噴射手段と、
前記稼動数検出手段により検出された稼動数が多い場合ほど噴射レベルが大きくなるように設定した状態で前記消臭液噴射手段を動作させる制御手段と、
前記消臭液噴射手段を動作することを指示する制御信号をスポット状に送信する送信手段と、
前記消臭液噴射手段毎に対応して設けられ、前記送信手段からの制御信号を受信する受信手段とを設け、
前記制御手段は、前記送信手段からの制御信号を受信した前記受信手段に対応した前記消臭液噴射手段を動作させることを特徴とする遊技場用消臭装置。
【発明の詳細な説明】
【発明の属する技術分野】
本発明は、消臭液を噴射する消臭液噴射手段の噴射レベルを制御する遊技場用消臭装置に関する。
【発明が解決しようとする課題】
従来より、パチンコホールにおいては、空調装置により空気を換気したり、芳香剤により店内を消臭するようにしている。
ところが、パチンコホールでは、多数の遊技客が密集する上に、遊技客のうち喫煙する者の割合が多いので、空調装置による換気或いは芳香剤にかかわらず悪臭が長期間にわたって残留するようになる。このため、パチンコホール内の悪臭に嫌悪感を抱く遊技客は、パチンコホールを敬遠するようになるので、パチンコホールの利益低下の要因となっている。
そこで、近年、パチンコホールに消臭装置を設置し、その消臭装置によりパチンコホール内の悪臭を消臭することが考えられている。この種の消臭装置としては、ノズルを天井に設置し、そのノズルから悪臭の分子を分解、或いは結合して消臭する消臭液を一定時間毎に設定量だけ噴射するように構成されている。従って、パチンコホール内の悪臭は消臭液の噴射により消臭されてしまうので、悪臭が長期間にわたって残留してしまうことを防止して遊技環境を向上させることができる。
ところで、パチンコゲーム機で遊技する遊技客のうちの喫煙する者は、実際にパチンコゲーム機で遊技している遊技客の分布と同様に分布しているのが通常である。
しかしながら、このような構成のものでは、ノズルから一定時間毎に消臭液を設定量だけ噴射する構成であるので、遊技客の分布が偏っている場合は、それに伴って喫煙者も偏って分布することになり、全てのノズルから単に設定量だけ消臭液を噴射するだけでは消臭の効果を均一に得られないという欠点がある。
この場合、パチンコホール内の遊技位置分布に応じて各ノズルの噴射量を個別に調整することで対応することができるものの、それでは担当係員の負担が大きいと共に遊技位置分布の変動に迅速に対処することができない。
本発明は上記事情に鑑みてなされたもので、その目的は、遊技場内の遊技機で遊技している遊技客の分布にかかわらず遊技場内を効率良く確実に、しかも面倒な操作を伴うことなく迅速に消臭することができる遊技場用消臭装置を提供することにある。
【課題を解決するための手段】
本発明の遊技場用消臭装置は、遊技機の稼動数を検出する稼動数検出手段を設け、設定された噴射レベルに応じた量の消臭液を噴射する消臭液噴射手段を設け、前記稼動数検出手段により検出された稼動数が多い場合ほど噴射レベルが大きくなるように設定した状態で前記消臭液噴射手段を動作させる制御手段を設け、前記消臭液噴射手段を動作することを指示する制御信号をスポット状に送信する送信手段を設け、前記消臭液噴射手段毎に対応して設けられ、前記送信手段からの制御信号を受信する受信手段を設けた上で、前記制御手段は、前記送信手段からの制御信号を受信した前記受信手段に対応した前記消臭液噴射手段を動作させるものである。
このような構成の場合、滞留者検出手段は、遊技場内の滞留者数を検出している。
さて、遊技場内の滞留者数が増加すると、それに伴って遊技場内の空気が汚れて悪臭が発生するようになる。ここで、制御手段は、滞留者数検出手段が検出した遊技場内の滞留者数が多くなる場合ほど噴射レベルが大きくなるように設定した状態で消臭液噴射手段を動作させる。これにより、滞留者数にかかわらず遊技場内を効率良く確実に、しかも面倒な操作を伴うことなく迅速に消臭することができる。
また、所望の消臭液噴射手段から消臭液を強制的に噴射させるときは、送信手段を受信手段に向けて操作する。すると、送信手段から制御信号が受信手段に向かってスポット状に送信され、受信手段は送信手段からの制御信号を受信するようになるので、制御手段は、送信手段からの制御信号を受信した受信手段に対応した消臭液噴射手段を動作させる。これにより、所望の消臭液噴射手段から送信手段に対する操作により消臭液を噴射させることができるので、消臭液噴射手段の動作を確認することができる。
【発明の実施の形態】
以下、本発明をパチンコホール用の消臭装置に適用した一実施例を図面を参照して説明する。
図２は、パチンコホール内の配置を概略的に示している。この図２において、パチンコホール内には第１〜第７の島１が設置されており、各島１に遊技機としての複数のパチンコゲーム機（パチンコスロットル機も含まれる）２が並設されている。即ち、第１の島１には１番〜３０番のパチンコゲーム機２が配設され、第２の島１には３１番〜９０番のパチンコゲーム機２が配設され、第３の島１には９１番〜１５０番のパチンコゲーム機２が配設され、第４の島１には１５１番〜２１０番のパチンコゲーム機２が配設され、第５の島１には２１１番〜２７０番のパチンコゲーム機２が配設され、第６の島１には２７１番〜３００番のパチンコゲーム機２が配設されており、パチンコホール内には全体として３００台のパチンコゲーム機２が配設されている。
ここで、パチンコホール内において互いに隣接する島１の端部間となる天井には消臭液噴射手段としてのノズル３が設置されており、パチンコホール内には全体として１番から１０番までの１０台のノズル３が設置されている。
図３はノズル３とパチンコゲーム機２との対応関係を示している。つまり、例えば１番のノズル３は１番〜１５番及び３１番〜４５番のパチンコゲーム機２からなる第１のパチンコゲーム機群に対応し、２番のノズル３は１６番〜３０番及び４６番〜６０番のパチンコゲーム機２からなる第２のパチンコゲーム機群に対応している。この場合、１番のノズル３からは主に第１のパチンコゲーム機群に向かって消臭液が噴射され、２番のノズル３からは主に第２のパチンコゲーム機群に向かって消臭液が噴射される。
さて、図２においてパチンコホールの出入口には入店者センサ４が設けられている。この入店者センサ４は赤外線、超音波或いはテレビカメラを利用したもので、パチンコホールの出入口から入場する遊技客及び退場する遊技客を検知するようになっている。
図１は、全体の構成を概略的に示している。この図１において、パチンコホール内には稼動数検出手段としての集中管理装置５が設置されている。この集中管理装置５は、パチンコゲーム機２で発生したセーフ玉数及びアウト玉数に基づいて差玉数を演算すると共に、その差玉数が予め設定された打止設定数となったときはパチンコゲーム機２の操作ハンドルに対する給電を停止することにより当該パチンコゲーム機２に対する遊技を禁止するようになっている。
また、パチンコゲーム機２に対応して設置された椅子には着座センサ６が設けられており、集中管理装置５は、各着座センサ６のオンオフによりパチンコゲーム機２の稼動状態を判断するようになっている。
制御手段としてのノズルコントローラ７は、所定タイミングで消臭液混合機８及びコンプレッサ９を駆動すると共にノズル３を駆動するようになっている。この場合、消臭液混合機８は消臭液を混合した状態で貯留しており、ノズルコントローラ７からの指令に応じて混合貯留している消臭液を各ノズル３に供給する。この消臭液は無臭タイプのもので、悪臭の分子を分解、或いは結合することにより悪臭を消臭する作用を呈する。そして、コンプレッサ９は、駆動状態でマニホールド１０を通じて圧縮空気を各ノズル３に圧送する。
ノズル３は消臭液を噴射するための噴射バルブを備えており、その噴射バルブの開口状態で消臭液混合機８から供給された消臭液はノズル３から噴霧状態で吐出される。この場合、ノズル３の噴射ノズル３は、外部指令に応じて開口面積が調整されるようになっており、その開口面積に応じて消臭液の単位時間当りの噴射量が設定されるようになっている。
ここで、集中管理装置５は、以下に示す各種情報信号をノズルコントローラ７からの要求に応じて出力するようになっている。
（１）着座センサ６のオン状態に基づいてパチンコゲーム機２の稼動状態を判断し、稼動しているパチンコゲーム機２の台番号を示す稼動台番号信号を出力する。
（２）入店者センサ４の検出状態に基づいてパチンコホール内の滞留者数（入店者数−退店者数）を演算し、滞留者数を示す滞留者数信号を出力する。
この場合、ノズルコントローラ７は、集中管理装置５からの滞留者数信号及び稼動台番信号に基づいて各ノズル３の消臭液の噴射時間を後述するように設定するようになっている。
一方、ノズルコントローラ７は、ノズル３及び消臭液混合装置８等の動作を監視しており、それらの動作が異常であったときは異常発生を集中管理装置５に通知する。集中管理装置５には店内放送装置１１及びインカム装置１２が接続されており、集中管理装置５は、ノズルコントローラ７から異常発生の通知を受けたときは店内放送装置１１を通じて異常発生を場内放送すると共に、インカム装置１２を通じて受信機を携帯する担当係員に異常発生を直接送信する。
一方、ノズル３の近傍には受信手段としての受信装置１３が設けられていると共に、担当係員は送信手段としての送信装置１４を携帯するようになっている。
送信装置１４は、図示しないスイッチに対する操作により噴射が指示されたときは噴射制御信号を例えば光信号により送信すると共に、単位時間当りの噴射量が設定された状態で操作されたときはその噴射量を示す噴射制御信号を送信するようになっている。また、受信装置１３は、噴射制御信号を受信したときはノズルコントローラ７に対して噴射制御信号を送信する。
次に上記構成の作用について説明する。
パチンコホールに遊技客が入店したり、パチンコホールから遊技客が退店すると、入店者センサ４から集中管理装置５に遊技客の入退店を示す信号が出力されるので、集中管理装置５は、入店者センサ４の検出状態に基づいてパチンコホール内の遊技客の滞留者数を演算している。
また、パチンコホール内の滞留者がパチンコゲーム機２で遊技するために椅子に着座すると、椅子に設けられた着座センサ６から着座信号が出力されるので、集中管理装置５は、着座信号に基づいて稼動しているパチンコゲーム機２を判断している。
さて、ノズルコントローラ７は、通常においてはオートモードを実行するように設定されていると共に、図示しないマニュアルスイッチに対する操作によりマニュアルモードが設定されたときはオートモードの実行を中断してマニュアルモードを割込み実行するようになっている。この場合、オートモードとは、ノズル３からの消臭液の噴射タイミングを自動的に設定するモードであり、マニュアルモードとは、ノズル３からの消臭液の噴射を担当係員が手動で設定するモードである。
ここで、図４（ａ）はノズルコントローラ７のオートモードの動作を示している。この図４（ａ）において、ノズルコントローラ７は、オートモードを実行する際は、まず、初期設定メモリを初期設定する（ステップＳ１）。この初期設定メモリとしては、図５に示す噴射ベース時間メモリ、図６に示す噴射付加時間メモリ及び図７に示す噴射オートスタートメモリが設定されている。噴射ベース時間メモリには滞留者数に応じた噴射ベース時間が設定され、噴射付加時間メモリにはノズル３に対応したパチンコゲーム機群（３０台のパチンコゲーム機２から構成されている）のうちの稼動しているパチンコゲーム機２の台数に応じた噴射付加時間が設定され、噴射オートスタートメモリには噴射のスタート間隔時間が設定されており、これらの設定時間は任意に変更可能となっている。この場合、噴射ベース時間メモリに記憶されている噴射ベース時間は滞留者数が多い場合ほど大きく設定され、噴射付加時間メモリに記憶されている噴射付加時間はノズル３に対応するパチンコゲーム機群のうちの稼動しているパチンコゲーム機２の台数が多い場合ほど（稼動率が大きいほど）大きく設定されている。
続いて、ノズルコントローラ７は、噴射オートスタートメモリからスタート間隔時間を読取ると共に（ステップＳ２）、開始タイマをスタートし（ステップＳ３）、開始タイマによる計時時間がスタート間隔時間となったところで情報要求信号を集中管理装置５に出力する（ステップＳ４，Ｓ５）。
一方、集中管理装置５は、情報要求信号を入力したときは（図８のステップＴ１）、保有している情報信号を出力する（ステップＴ２）。この情報信号とは、上述のようにして演算した滞留者数を示す滞留者数信号及び稼動しているパチンコゲーム機２の台番号を示す稼動台番号信号である。
ノズルコントローラ７は、情報信号を入力したときは（図４（ａ）のステップＳ６）、情報信号としての滞留者数信号が示す滞留者数に応じた噴射ベース時間を噴射ベース時間メモリから読込むと共に、情報信号としての台番号信号に応じた噴射付加時間を噴射付加時間メモリから読込む（ステップＳ７）。
つまり、ノズルコントローラ７は、図５に示すように滞留者数と噴射レベルとしての噴射ベース時間との対応関係を記憶しており、その対応関係に基づいて滞留者数に対応した噴射ベース時間を求める。この場合、噴射ベース時間は全てのノズル３に共通して設定される。
また、ノズルコントローラ７は、図６に示すようにパチンコゲーム機群（３０台のパチンコゲーム機２で構成されている）のうちの稼動しているパチンコゲーム機２の台数に対応して噴射付加時間を記憶しており、その対応関係に基づいてノズル３に対応した噴射付加時間を求める。
そして、ノズルコントローラ７は、上述のようにして求めた噴射ベース時間と噴射付加時間とを加算することにより各ノズル３毎の噴射時間を最終的に求める（ステップＳ８）。
要するに、ノズルコントローラ７は、集中管理装置５から情報信号を入力する毎に、ノズル３の噴射時間＝噴射ベース時間＋噴射付加時間という演算式に従って、各ノズル３毎の噴射時間を設定するのである。従って、各ノズル３の噴射時間は、滞留者数が多くなる場合ほど、或いは当該ノズル３に対応するパチンコゲーム機群のうちの稼動しているパチンコゲーム機２の台数が多くなる場合ほど大きくなるように設定される。
上述のように各ノズル３毎の噴射時間を設定したノズルコントローラ７は、注入命令信号を消臭液混合機８に出力する（ステップＳ９）。このとき、ノズルコントローラ７は、コンプレッサ９を駆動するので、ノズル３に圧縮空気が送られる。
すると、消臭液混合機８は、注入命令信号を入力したときは（図９のステップＵ１）、消臭液注入処理を実行することにより貯留している消臭液をノズル３に供給する（ステップＵ２）。
一方、上述のようにして注入命令信号を出力したノズルコントローラ７は、噴射命令信号をノズル３に出力する（図４のステップＳ１０）。
すると、ノズル３は、噴射命令信号を入力したときは（図１０のステップＶ１）、噴射処理を実行することによりノズル３の噴射バルブを開口する。これにより、ノズル３から消臭液が噴射されるので、消臭液が噴射された領域の悪臭が分解、或いは結合されて消臭される。
続いて、ノズルコントローラ７は、噴射時間タイマをスタートし（図４（ａ）のステップＳ１１）、その噴射時間タイマによるタイマ時間が上述のように設定した噴射時間経過したところで（ステップＳ１２）、注入停止信号を出力する  （ステップＳ１３）と共にコンプレッサ９を停止してから、噴射停止信号を出力する（ステップＳ１４）。
すると、消臭液混合機８は、注入停止信号を入力したときは（図９のステップＵ３）、消臭液の供給を停止することにより注入を停止する（ステップＵ４）。また、ノズル３は、噴射停止信号を入力したときは（図１０のステップＶ３）、噴射バルブを閉鎖して消臭液の噴射を停止する（ステップＶ４）。
以上の動作により、各ノズル３は、スタート間隔時間が経過する毎に滞留者数及び対応するパチンコゲーム機群のうちの稼動しているパチンコゲーム機２の台数に応じた噴射時間だけ消臭液を噴射するので、パチンコホール内の滞留者数及び遊技客の分布にかかわらずパチンコホール内の異臭を効率良く確実に、しかも面倒な操作を伴うことなく迅速に消臭することができる。
ところで、上述したようにノズルコントローラ７によるオートモードの実行により、パチンコホール内の滞留者数及び遊技客の分布にかかわらずパチンコホール内の異臭を消臭することができるものの、遊技客が極端に密集したり、トイレの近傍等では、一定時間毎の消臭液の噴射にかかわらず悪臭が残留することがあるので、消臭液を強制的に噴射することが効果的である。
そこで、以下のようにして、所望のノズル３から消臭液を強制的に噴射させることができる。
つまり、ノズルコントローラ７のマニュアルスイッチを操作すると、ノズルコントローラ７は、マニュアル操作されたときは図４（ｂ）に示す割込み処理に移行する。
そして、マニュアル操作の対象となるノズル３の番号を設定した状態で噴射操作を行う。すると、ノズルコントローラ７は、噴射操作されたときは（図４（ｂ）のステップＳ１５）、注入命令信号を消臭液混合機８に出力する（ステップＳ１６）。これにより、消臭液混合機８は、注入命令信号を入力したときはノズル３に対して消臭液を供給する。
続いて、ノズルコントローラ７は、噴射命令信号をマニュアル操作の対象となるノズル３に出力する（ステップＳ１７）。この場合、噴射命令信号は、マニュアル操作の対象とするノズル３の番号を示している。これにより、該当するノズル３は、噴射命令信号を入力したところで噴射バルブを開口する。
以上の動作により、ノズル３からは消臭液が強制的に噴射されるので、オートモードによる消臭液の噴射にかかわらず消臭できないような強力な悪臭を分解して消臭することができる。
そして、ノズルコントローラ７に対してマニュアル操作を解除すると、ノズルコントローラ７は、強制終了されたと判断し（図４（ｂ）のステップＳ１８）、注入停止信号を消臭液混合機８に出力すると共に（ステップＳ１９）、噴射停止信号をノズル３に出力する（ステップＳ２０）。これにより、ノズル３からの消臭液の噴射が停止する。
尚、ノズルコントローラ７は、噴射操作されてからマニュアル操作が解除されることなく設定時間が経過したときも、強制終了を実行して注入停止信号及び噴射停止信号の出力を停止するようになっている。
一方、ノズル３からの消臭液の単位時間の噴射量が適切に設定されていない場合には、悪臭が十分に消臭されない場所が発生したり、消臭液の噴射量が過大の場所が発生してしまう。
また、ノズル３の噴射バルブの開口面積の設定量が大きめに設定されていた場合には、ノズル３から消臭液の液垂れを生じて床面が汚れてしまう。
このような場合は、マニュアル操作の対象となるノズル３の番号及び単位時間当り噴射量を設定した状態でノズルコントローラ７に対して噴射操作を実行する。すると、ノズルコントローラ７は、設定されたノズル３の番号及び単位時間当りの噴射量を示す噴射命令信号を出力する。これにより、該当するノズル３は、噴射バルブの開口面積を調整することにより単位時間当りの噴射量を設定した状態で噴射バルブを開口するので、ノズル３からは単位時間当りに設定された噴射量の消臭液が噴射される。
以上の動作により、ノズル３の単位時間当りの噴射量を任意に調整することができるので、以後においてオートモードによりノズル３から消臭液が噴射される際の消臭液量を調整することができる。
また、ノズルコントローラ７は、ノズル３及び消臭液混合機８等の動作の異常を監視しており、それらの動作が異常であったときは、異常発生を集中管理装置５に通知する。これにより、集中管理装置５は、店内放送装置１１を通じて異常の発生を場内放送すると共に、インカム装置１２を通じて担当係員に異常発生を直接送信するので、担当係員は、異常の発生に迅速に対処することができる。
一方、ノズルコントローラ７は、受信装置１３から噴射制御信号を受信したときは図４（ｂ）で示したマニュアルモードと同様に動作するようになっている。
さて、担当係員は、ノズル３から消臭液を強制的に噴射したい場合は、送信装置１４をノズル３に向けた状態で操作する。すると、送信装置１４からは噴射制御信号が送信されるので、受信装置１３は、噴射制御信号を受信したときは対応するノズル３の番号を示す噴射制御信号をノズルコントローラ７に出力する。これにより、ノズルコントローラ７は、マニュアル操作時と同様に注入命令信号を消臭液混合機８に出力してから噴射命令信号を該当するノズル３に出力すると共にコンプレッサ９を駆動する。
従って、制御対象となるノズル３からは消臭液が噴射されるので、担当係員は、ノズル３からの消臭液の噴射状態を確認することができる。
そして、ノズル３から消臭液が十分に噴射されたところで、送信装置１４に対する操作を解除すると、送信装置１４からの噴射制御信号が停止するので、受信装置１３は、ノズルコントローラ７に対する噴射制御信号の出力を停止する。これにより、ノズルコントローラ７は、マニュアル操作の停止と同様に、注入停止信号を消臭液混合機８に出力してから噴射停止信号を該当するノズル３に出力すると共にコンプレッサ９を停止する。これにより、ノズル３からの消臭液の噴射を終了することができる。
一方、上述のようにして送信装置１４を操作する際に単位時間当りの消臭液の噴射量を設定した状態で操作を行ったときは、送信装置１４からは単位時間当りの噴射量を示す噴射制御信号が送信されるので、受信装置１３は、対応するノズル３の番号及び単位時間当りの噴射量を示す噴射制御信号をノズルコントローラ７に出力する。これにより、ノズルコントローラ７は、マニュアル操作と同様に、単位時間当りの噴射量を示す噴射命令信号を該当するノズル３に出力するので、送信装置３に対する操作により操作対象となるノズル３の消臭液の単位時間当りの噴射量を設定することができる。
上記構成のものによれば、パチンコホール内の滞留者数に基づいてノズル３からの消臭液の噴射ベース時間を設定すると共に、ノズル３に対応したパチンコゲーム機群のうちの稼動しているパチンコゲーム機２の台数（稼動率）に基づいて噴射付加時間を求め、噴射ベース時間と噴射付加時間とを加算することによりノズル３毎の噴射時間を最終的に設定するようにしたので、滞留者数及びパチンコゲーム機の稼動数にかかわらず消臭液の噴射量が一定である従来例のものと違って、滞留者数及びパチンコゲーム機２の稼動数にかかわらず悪臭を効率良く確実に、しかも面倒な操作を伴うことなく迅速に消臭することができる。
また、ノズルコントローラ７に対する操作により所望のノズル３から消臭液を強制的に噴射させると共に、ノズル３の単位時間当りの噴射量を遠隔操作により調整可能としたので、ノズル３を直接取扱う必要がなく、操作性が極めて優れている。
さらに、ノズルコントローラ７は各種機器に異常が発生したことを集中管理装置５に通知すると共に、集中管理装置５は異常通知を受けて異常発生を報知するので、異常の発生に迅速に対処することができる。
加えて、担当係員は、送信装置１４に対する操作によりノズル３から消臭液を強制的に噴射させる際にその噴射状態を確認することができるので、消臭液の噴射量の過不足を防止することができる。
本発明は、上記実施例にのみ限定されるものではなく、次のように変形または拡張できる。
ノズル３からの消臭液の噴射時間を、パチンコゲーム機２の稼動数のみで設定するようにしてもよい。
パチンコゲーム機２の稼動を検出する手段としては、パチンコゲーム機２からアウト玉が発生しているか、パチンコゲーム機２の操作ハンドルが操作されたか、パチンコゲーム機２の玉受皿にパチンコ玉が貯留されているかに基づいて検出するようにしてもよい。
【発明の効果】
以上の説明から明らかなように、本発明の遊技場用消臭装置によれば、遊技場内の遊技機の稼動数に基づいて消臭液の噴射量を自動的に調整すると共に、強制的に消臭液を噴射可能としたので、遊技場内の遊技機で遊技している遊技客の分布にかかわらず遊技場内を効率良く確実に、しかも面倒な操作を伴うことなく迅速に消臭することができるという優れた効果を奏する。
【図面の簡単な説明】
【図１】  本発明の一実施例における全体構成を示す概略図
【図２】  パチンコホール内の配置を示す図
【図３】  ノズル番号と遊技機番号との対応関係を示す図
【図４】  ノズルコントローラの動作を示すフローチャート
【図５】  滞留者と噴射ベース時間との対応関係を示す図
【図６】  稼動数と噴射付加時間との対応関係を示す図
【図７】  スタート間隔の設定時間を示す図
【図８】  集中管理装置の動作を示すフローチャート
【図９】  消臭液混合機の動作を示すフローチャート
【図１０】  ノズルの動作を示すフローチャート
【符号の説明】
２はパチンコゲーム機（遊技機）、３はノズル（消臭液噴射手段）、５は集中管理装置（稼動数検出手段）、７はノズルコントローラ（制御手段）、８は消臭液混合機、９はコンプレッサ、１１は店内放送装置、１２はインカム装置、１３は受信装置（受信手段）、１４は送信装置（送信手段）、１５は空調装置である。
【図１】
0003886553.tif 000002
【図２】
0003886553.tif 000003
【図３】
0003886553.tif 000004
【図４】
0003886553.tif 000005
【図５】
0003886553.tif 000006
【図６】
0003886553.tif 000007
【図７】
0003886553.tif 000008
【図８】
0003886553.tif 000009
【図９】
0003886553.tif 000010
【図１０】
0003886553.tif 000011